(57)【要約】【課題】ガラリを設けた換気口での空気流量を増加させる。【解決手段】ガラリ１０の風向板１１を、室外側に対して、水平位置から０度より大きく９０度未満に開口させるように、上向きに構成する。また、フード２０を設ける場合には、風向板１１の正面からフード２０の対面部分を少なくとも１０ｃｍ以上離すことで、流量の確保を行う。かかる構成のガラリ１０は、ダクト４０内に取り付け部材を設けることなく、ダクト開口面４１の周囲の壁面３０ａに取り付けるようにする。【選択図】図１
2007162316.tif 000002
【特許請求の範囲】
【請求項１】
換気口に設けるガラリであって、
前記ガラリの室外側の前面にはフードが設けられ、
前記ガラリの風向板は、前記室外側に向けて、水平位置に対して０度より大きく９０度未満の上方に開口されていることを特徴とするガラリ。
【請求項２】
請求項１記載のガラリにおいて、
前記ガラリは前記ガラリに繋がるダクト外に取り付け部材を介して取り付けられ、
前記フードの前記風向板に対面する部材は、前記風向板から少なくとも１０ｃｍ以上離されて設けられていることを特徴とするガラリ。
【請求項３】
請求項１または２記載のガラリにおいて、
前記フードの内側には吸音材が設けられていることを特徴とするガラリ。
【請求項４】
請求項１〜３のいずれか１項に記載のガラリにおいて、
前記ガラリに繋がるダクト内には、吸音材が設けられていることを特徴とするガラリ。
【請求項５】
請求項１〜４のいずれか１項に記載のガラリにおいて、
流入する空気を渦に形成する渦形成ネットが、前記フードの空気取り入れ口に設けられていることを特徴とするガラリ。
【請求項６】
請求項１〜４のいずれか１項に記載のガラリにおいて、
渦形成ネットが、前記ガラリに繋がるダクトに設けられていることを特徴とするガラリ。
【請求項７】
請求項５または６記載のガラリにおいて、
前記渦形成ネットが、防虫ネットを兼ねていることを特徴とするガラリ。
【請求項８】
ガラリの取り付け構造であって、
請求項１〜７のいずれか１項に記載のガラリの取り付けは、ダクト開口面の周囲に、前記ガラリの取り付け部を介して取り付けられていることを特徴とするガラリの取り付け構造。
【請求項９】
請求項８記載のガラリの取り付け構造において、
前記ガラリは、前記ダクト開口面に対して、雨水侵入抑制用の隙間を設けて取り付けられていることを特徴とするガラリの取り付け構造。
【請求項１０】
換気口にガラリを設けた建築物であって、
請求項１〜７のいずれか１項に記載のガラリが設けられていることを特徴とするガラリを設けた建築物。
【請求項１１】
換気口にガラリを設けた建築物であって、
前記ガラリの取り付けには、請求項９または１０記載のガラリの取り付け構造が使用されていることを特徴とするガラリを設けた建築物。
【発明の詳細な説明】
【技術分野】
【０００１】
本発明は換気口に使用するガラリに関し、特に風の流入方向に向けて風向板を水平位置から斜め上方に向け、取り付け構造をダクト開口面に対して浮かして設けた構成に適用して有効な技術である。
【背景技術】
【０００２】
近年、マンション等の集合住宅では、給気ダクトを無くして、換気口からレンジフードの排気に見合う給気を確保する構成が採用されている。かかる構成を採用することで、建設コストの低減を図っている。
【０００３】
しかし、かかる構成では、往々にして窓を閉め切った状態でレンジフードを運転し、その結果、大きな室内外の差圧が発生して玄関扉等が開きにくくなる現象が発生している。各居室の室内側換気口を閉めた状態で、レンジフードを強にして運転すると、室内外差圧は１００Ｐａ以上になると言われている。一方、室内側の換気口を開けた状態でも、室内外差圧は約８０Ｐａとなることが報告されている。
【０００４】
かかるレンジフードにおける差圧を解消する手段としては、例えば、特許文献１には、外気と室内を連通する連通用給気孔に低圧損ガラリを設け、室内の各ドアにはアンダカットを設けることで、大風量の換気装置を作動させても室内外の差圧を低く維持する構成が開示されている。
【特許文献１】特開平１１−２８７４９３号公報
【発明の開示】
【発明が解決しようとする課題】
【０００５】
本発明者は、レンジフード等の使用に際して発生する室内外差圧の影響により扉等が開きにくくなる点について、早急に対策する必要があると考えた。
【０００６】
しかし、かかる対策に際しては、別途給気ダクトのようなものを併置する構成では、建設コスト削減の目的でなされた本来の構成に意味がなくなる。既存の構成を生かして、その解決を図る必要があると考えた。
【０００７】
そこで、本発明者は、換気口に設けるガラリに着目し、かかるガラリからの風量の増加を図ることができないかと考えた。
【０００８】
併せて、実物大スケールでの実験結果に基づいてその検証を行い、実施可能性がある技術の提供が必要とも考えた。これまでは実物大のスケールでの検証が行われず、実験スケールのみでその有効性が判断されていた。しかし、実験スケールでの結果は、往々にして実施に当たっての参考値程度にしかならず、実際には実施に際しての値とかなりの隔たりがあるのが現状であった。
【０００９】
本発明の目的は、ガラリからの取り入れ風量を増加することができる技術を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
本発明者は、これまでのガラリの構成に関して種々のデータをとり、併せて各種の新規な構成を適用して風量増加に繋がる技術を模索した。その結果、意外なことに、フード付きのガラリの風向板の方向性等を変えることで、風量増加に繋がることを見出した。また風向板の方向性を変えることで、騒音の低減を図れることも見出した。
【００１３】
すなわち、本発明は換気口に設けるガラリであって、前記ガラリの室外側の前面にはフードが設けられ、前記ガラリの風向板は、前記室外側に向けて、水平位置に対して０度より大きく９０度未満の上方に開口されていることを特徴とする。かかる構成において、前記ガラリは、前記ガラリに繋がるダクト外に取り付け部材を介して取り付けられ、前記フードの前記風向板に対面する部材は、前記風向板から少なくとも１０ｃｍ以上離されて設けられていることを特徴とする。以上の構成において、前記フードの内側には吸音材が設けられていることを特徴とする。以上の構成において、前記ガラリに繋がるダクト内には、吸音材が設けられていることを特徴とする。
【００１４】
前記ガラリの構成において、流入する空気を渦に形成する渦形成ネットが、前記フードの空気取り入れ口に設けられていることを特徴とする。あるいは、渦形成ネットが、前記ガラリに繋がるダクトに設けられていることを特徴とする。かかる渦形成ネットが、防虫ネットを兼ねていることを特徴とする。
【００１５】
本発明は、ガラリの取り付け構造としても把握することができ、前記いずれかの構成のガラリの取り付けを、ダクト開口面の周囲に、前記ガラリの取り付け部を介して取り付けられていることを特徴とするガラリの取り付け構造である。かかる構成において、前記ガラリは、前記ダクト開口面に対して、雨水侵入抑制用の隙間を設けて取り付けられていることを特徴とする。本発明は、さらに換気口にガラリを設けた建築物としても把握することができるものであって、前記いずれかの構成のガラリが設けられたことを特徴とする建築物である。前記ガラリの取り付けには、前記ガラリの取り付け構造が使用されていることを特徴とする。
【発明の効果】
【００１６】
本願において開示される発明のうち、代表的なものによって得られる効果を簡単に説明すれば以下のとおりである。
【００１７】
本発明では、ガラリの風向板に対して所定距離離されたフード付きのガラリにおいて、その取り付け方法と、風向板を上向きに構成することとで、従来の下向きに構成した場合とは異なり、換気口の流量係数を大きく設定することができる。
【００１８】
本発明では、フード付きのガラリの構成において、風向板を上向きに構成することで、ガラリを通して侵入する騒音を低減することができる。
【発明を実施するための最良の形態】
【００１９】
以下、本発明の実施の形態を図面に基づいて詳細に説明する。なお、実施の形態を説明するための全図において、同一の部材には原則として同一の符号を付し、その繰り返しの説明は省略する。
【００２０】
本発明は、一戸建て住宅やマンション等の建築物の換気口に用いるガラリに関する技術である。本発明者は、従来構成のガラリでは、その風向板の開口方向が室外側に向けて下向きであるのに対して、上向き開口に変更すること等で、換気口での流量係数が増大し、併せてガラリから侵入する騒音を低減することができることを見出した。かかる事実は、実物大のモデルルームを構成し、その構成に基づく実験により初めて明らかにされたもので、本発明はかかる実験事実に基づいてなされたものである。
【００２１】
これまでは、換気口における流量等の数値結果が規格に適うか否かでその設計の適否が判断されていた。しかし、実際は、かかる規格と、実際にガラリを換気口につけたときの状態では流量係数が大きく異なることが知られていた。
【００２２】
そこで、本発明者は、実物大のモデルルームを新たに構築して、かかるモデルルームで実測した結果に基づき、換気口に設けるガラリの取り付け方法、風向板の向き等を変更した。かかる変更で、これまででは思いもつかないような効果が得られることを見出した。
【００２３】
（実施の形態１）
本実施の形態１に説明するガラリ１０の構成は、例えば、図１（ａ）に示すように、室外側のガラリ１０の前面にフード２０が設けられている。かかるガラリ１０は、壁３０に開けられたダクト４０の開口部の室外側に、図１（ｂ）に示すように、例えば、円形のダクト開口面４１を塞ぐように設けられている。このようにして、換気口Ｘが構成されている。
【００２４】
ガラリ１０では、複数枚の風向板１１が、室外側に向けて、水平位置から上方に向けて配向されている。かかる風向板１１の水平位置に対する開口角度θは、図１（ｃ）に示すように、０度より大きく９０度未満に設定されている。
【００２５】
かかる構成の風向板１１は、開口角度θが、０度より大きく９０度未満の上記範囲で、適宜変更できるようになっている。例えば、空気（風）が換気口Ｘから入らないようにするには、風向板１１の開口角度θをいっぱいに上げて、風向板１１間の開口を閉じるようにすればよい。空気が換気口Ｘから入るようにするには、風向板１１をより水平方向に倒すように開口角度θを調節すればよい。
【００２６】
尚、風向板１１の開口角度θは、上記場合には、適宜調節できるように構成したが、場合によっては、開口角度θを所定角度で固定する構成としても構わない。
【００２７】
また、上記ガラリ１０の取り付けに際しては、図２に示す従来構成のガラリ１２で採用しているダクト４０内に挿入して取り付けるような取り付け部材１３を一切設けずに、ダクト４０外に取り付け部材１４を介して取り付ける構成を採用した。
【００２８】
すなわち、従来構成のガラリ１２とはその取り付け方を変更したのである。従来のガラリ１２は、図２に示すように、その取り付けがガラリ１２の取り付け施工で完結するように構成され、ダクト４０の周辺の壁面を利用して取り付けることは行われていなかった。
【００２９】
図２に示すように、ダクト４０内に少し入り込むような取り付け部材１３を形成し、かかる取り付け部材１３をダクト４０内に嵌めるようにしてガラリ１２は取り付けられていた。取り付け部材１３としては、例えば、ダクト４０と二重筒状に嵌め合わせることができる短い筒状部材に構成されていた。
【００３０】
その結果、ダクト４０内の空気の流量は、その分小さく抑えられていた。本発明のガラリ１０では、できるだけ流量の増加を図るために、ガラリ１０の取り付け方法も変更した。
【００３１】
すなわち、ガラリ１０では、ダクト４０内に嵌め込む形式の取り付け部材１３を設けることなく、図１（ａ）に示すように、ダクト開口面４１の周辺の壁面３０ａに取り付け部材１４を介して取り付けるようにした。かかる構成を採用することで、ダクト４０内に流量を低減させる取り付け部材１３を内挿することなく、ダクト４０の断面を最大に利用して空気を通過させることができるようになった。
【００３２】
このように、ガラリ１０の取り付け方法と、風向板１１を室外側の風の流入方向に対して水平位置から上方に向けて設けることとで、図２に示す従来構成のガラリ１２の風向板１５を下向きに設けた場合に比べて、意外にも風が入りやすくなることが分かった。
【００３３】
従来構成では、フード２１の空気取り入れ口２１ａから取り入れられた空気は、下方を向けて開口された風向板１５の間を抜けて、そのままダクト４０内に流入しようとする。しかし、フード２１内の上方では空気が流れ難い空間が生じ、ここで通過抵抗が増え流入量を抑制する方向に働く。その結果、従来構成のガラリ１２を介して室外側から室内側へ給気を行おうとしても、換気口Ｘでの流量が小さくなり、換気効率が悪くなっていたのである。
【００３４】
一方、ガラリ１０の風向板１１を室外側に向けて上向きに構成することで、図３に示すように、フード２０内の殆どの空間で円滑に空気が流れ、換気効率が上昇して、換気口Ｘでの流量が増大した。従来構成で示すような通過抵抗を増加させる空気の淀み等が発生せず、円滑に流れることができるのである。
【００３５】
また、フード２０のガラリ１１に対面した対面部分２２は、図１（ａ）に示すように、ガラリ１０の風向板１１の正面から少なくとも１０ｃｍ離して設けるようにした。１０ｃｍ以上離して設けることで、流量確保が十分に行えることが、実物大のモデルルームを用いた実験で判明した。１０ｃｍ未満では、流量が小さくなることが実験により確認されたのである。
【００３６】
１０ｃｍ離すについては、正確には、風向板１１の室内側の先端からの距離を図ればよいが、風向板１１の幅が１０ｍｍ〜３０ｍｍ程度迄であれば、ダクト開口面４１から１０ｃｍ離すとしても実用上は差し支えない。
【００３７】
図４（ａ）に示す本発明に係るガラリ１０と、図４（ｂ）に示す従来構成の風向板１５が下向きに設けられたガラリ１２との流量係数を、実物大のモデルルームを用いて比較した。ダクト４０は、全ての場合に、φ１００ｍｍの断面円形に形成されている。その結果を、図５に示した。
【００３８】
結果は、図４（ａ）に示す本発明に係るガラリ１０の構成の方が、図４（ｂ）に示す従来構成のガラリ１２の場合に比べて、流量係数が大きくなっていることが確認できる。このように、本願発明に係る風向板１１を上向きに設けた構成のガラリ１０は、従来構成のガラリ１２よりも流量係数が大きくなることが確認された。
【００３９】
また、図５に示す結果は、図４（ａ）に示すようなフード２０を設けた構成のガラリ１０であるが、フード２０を設けない構成も当然考えられる。かかるフード２０を設けない構成では、フード２０を設ける場合に比較して、より流量が大きくなることが期待される。尚、図５に示す場合には、正確には風量係数の値で流量係数を示したものである。
【００４０】
また、ガラリ１０の取り付けに際しては、壁面３０ａに対してガラリ１０を少し浮かせた状態で取り付けるようにした。かかる取り付け方法を採用することで、上方からの雨水がそのまま下方に落ちるように、雨水落下流路１６を形成することができる。
【００４１】
従来は、図２（ｂ）に示すように、ガラリ１２の内部に一旦雨水を溜めて、下方の孔１７から排出するように構成されていた。すなわち、ガラリ１２の構成の一部として雨水溜めが設けられ、その排出口も形成されていたのである。本発明では、かかるガラリ１０に対する構成は一切必要ないものとした。このように構成することで、ガラリ１０の構成を簡単なものとし、メンテナンスフリーとした。
【００４２】
このようにダクト開口面４１部分を平面的に塞ぐようにガラリ１０を設けることで、ダクト４０内を狭めるような取り付け方法を採用せず、空気のダクト４０内での流れの阻害要因をなくした。
【００４３】
併せて、取り付けに際して、ガラリ１０を壁面３０ａに対して少し浮かせて取り付けることで雨水侵入抑制用の隙間を設け、わざわざ雨水の排出流路をガラリ１０内に形成することなく、極めて簡単に雨水をそのまま落下させて処理することができるようになった。
【００４４】
以上に説明のガラリ１０は、例えば、一戸建て住宅やマンション等の建築物の換気口Ｘに設けることができる。かかる建築物の室内と室外とを隔てる壁３０に、かかる壁３０を貫通して設けたダクト４０に連通するようにガラリ１０を設ければよい。特に、かかるガラリ１０を設けることで、換気口Ｘからの流量が増加して、室内外の差圧の影響を抑制することができ、例えば、前記扉の開閉困難を緩和すること等ができる。また、フード２０を設けない構成のガラリ１０は、例えば建築物の上方の軒下側の壁面に設ける等すればよい。
【００４５】
マンション等では、換気口Ｘの設置高さが人の視線と同程度の場合があるが、かかる場合には上方側をフード２０で覆ったガラリ１０は有効である。上方に風向板１１が開口しているため、フード２０の空気取り入れ口２０ａから、室内側の光が換気口Ｘを通じて漏れにくく、室内の状況が外部には分からない。
【００４６】
因みに、流量係数αは、次の式により求めることができる。すなわち、室内外差圧をΔＰ（Ｐａ）、排気風量をＱ（ｍ３／ｈ）、風量係数をαＡ（ｍ２）、通過断面積Ａ（ｍ２）、空気密度をγ（ｋｇ／ｍ３：１．２９３）とする場合に、
【数１】
2007162316.tif 000003
の関係式が成立するので、流量係数はそのαとして求めることができる。簡易には、本明細書でも採用しているが、αＡの風量係数を以て、流量係数に代えて表示する場合もある。
【００４７】
また、流量係数等の実測に際して使用した実物大のモデルルームは、図６、７に示した。図６（ａ）、（ｂ）に示すように、ワンルームマンションを模した略直方体のモデルルーム内にレンジフードを設け、このレンジフードに排気ダクトとしてのビニールチューブを繋げ、このビニールチューブにオリフィス、差圧計に構成した流量計を設けて測定を行った。
【００４８】
実物大のモデルルームの寸法構成は、図７（ａ）、（ｂ）に示した。壁面の換気ダクトの数は、例えば、実際の或るマンションにおけるダクトの数に合わせて行った。例えば、図７（ａ）に示す場合には、φ１００ｍｍのダクトが３個、φ１５０ｍｍのダクトが１個、壁の厚さ２００ｍｍとして実験を行っている。レンジフードに関しても、実際のマンションで使用している機種を選定して行った。
【００４９】
（実施の形態２）
本実施の形態では、前記実施の形態１で説明した構成のガラリ１０に、図８に示すように、そのフード２０の空気取り入れ口２０ａの開口面側に、渦形成ネット２３を設ける場合について説明する。
【００５０】
かかる渦形成ネット２３は、空気取り入れ口２０ａを通って風向板１１に向かう空気を、小さい渦に形成することで、より風向板１１間を通り易くするものである。かかる渦形成ネット２３を設けることで、設けない場合に比べて、さらに流量の増加を図ることが期待できる。
【００５１】
空気がガラリ１０の風向板１１の間をダクト４０側に流入する場合には、図８に示すように、詳細には、空気が小さな渦となって風向板１１間を流れて行く。そこで、渦形成ネット２３を設けておけば、渦形成ネット２３を通過した空気は小さい渦に形成され、その小さい渦が風向板１１間を流れることとなる。このように小さな空気の渦が渦形成ネット２３を通過することで作られ、その渦が風向板１１を通過するため、より空気の流れがよくなり流量が増加するものである。
【００５２】
かかる構成の渦形成ネット２３としては、ガラリ１０の風向板１１の開口間隔以下の渦が形成されるように構成しておけばよい。例えば、風向板１１間の開口間隔が５ｍｍであれば、５ｍｍ以下の渦が形成されるネットであればよい。例えば、５ｍｍ以下の網目のネットであればよい。風向板間隔が１０ｍｍ、あるいは２０ｍｍであれば、１０ｍｍ以下、あるいは２０ｍｍ以下の網目を有するネットに構成しておけばよい。
【００５３】
かかる渦形成ネット２３のフード２０の空気取り入れ口２０ａの取り付け位置の選定は、前記実物大のモデルルームでの実験結果に基づき、換気口Ｘでの流量が大きくなるとのことで選択された位置設定である。
【００５４】
渦形成ネット２３の取り付け位置による流量変化について、図９（ａ）、（ｂ）、（ｃ）に示した。すなわち、図９（ａ）はフード２０の空気取り入れ口２０ａの開口面に設けた場合であり、（ｂ）はガラリ１０の背後に設けた場合であり、（ｃ）はダクト４０の室内端側に設けた場合であり、その各々について流量係数を測定した。
【００５５】
その結果を、図９（ｄ）に示す。図９（ｄ）に示すように、渦形成ネット２３の取り付け位置は、フード２０の空気取り入れ口２０ａの開口面、またはダクト４０の室内端側開口面４２に設けた場合とが同等であった。一方、渦形成ネット２３をガラリ１０の背後に設けた場合には、流量係数が小さくなることが確認された。尚、図９（ｄ）に示す場合には、流量係数を風量係数で表している。
【００５６】
かかる構成の渦形成ネット２３は、上記のように、渦が形成できるような網目形状を有するネットであればどのようなものでも構わない。例えば、防虫ネットと同様の構成の網目を有しているもので構わない。かかる場合には、渦形成ネット２３が防虫ネットを兼ねることができ、虫の換気口Ｘからの侵入を防止することができる。
【００５７】
このように、渦形成ネット２３を設けることで、流量の増加を図ることができ、さらには防虫ネットの効果をも併せ持たせることができる。
【００５８】
尚、渦形成ネット２３をダクト４０の室内側に設ける場合には、ガラリ１０の風向板１１間で形成された渦が抜け出し易いように、風向板１１の間隔以上の網目のネットを使用するようにすれば好ましい。
【００５９】
（実施の形態３）
本実施の形態では、前記実施の形態１で述べた構成のガラリ１０に遮音特性を付加したものである。建築物の壁面に孔を開け、そこに換気口Ｘを設けることで、当然に屋外の騒音が室内に入ることとなる。
【００６０】
そこで、本実施の形態３では、換気口Ｘのガラリ１０を介して侵入する騒音を抑制する機能を付け加えた。すなわち、ガラリ１０に設けたフード２０内の内壁面に、吸音材５０を設けた。かかる吸音材５０を設けることで、図１０に示すように、外からガラリ１０の風向板１１の間を抜けて入ろうとする騒音は、周波数により多少の違いはあるが、フード２０内では反射して入ることとなる。
【００６１】
通常、換気口Ｘは人の背丈以上の位置に設けられることが多いので、騒音は、フード２０の下の開口部から主に入ることとなる。直進する音波は、風向板１１が上向けに開口されているので、フード２０内で反射した音波が入ることとなる。かかる際に、フード２０内には、吸音材５０が設けられているので、周波数にもよるが、騒音の音波は反射する度に吸音材５０により減衰させられる。
【００６２】
このようにしてフード２０内に吸音材５０を貼ることにより、室内に侵入する騒音の低減を図ることができる。さらには、図１０に示す構成では、ガラリ１０に繋がるダクト４０内にも、吸音材５０を貼っている。かかる構成を採用すれば、フード２０内、ダクト４０内の双方で騒音は低減させられることとなる。但し、ダクト４０内に吸音材５０を貼る場合には、換気流量との兼ね合いもあり、流量増加と騒音低減とを見合いにして、双方を比較考量した上で判断すればよい。
【００６３】
従来構成のガラリでは、図１１に示すように、風向板１５は下向きに設けられているため、フード２１に設けた下開口部からの騒音は、直進して、比較的に下向きに設けられた風向板１５の間を通り易い。このようにして、従来構成のフード２１を設けたガラリ１２では、騒音が入りやすい状況となる。
【００６４】
しかし、本発明の構成では、ガラリ１０の風向板１１は上向きに開口するように設けられ、且つフード２０の空気取り入れ口２０ａが下向きに開口され、さらにフード２０の内壁面には吸音材５０が貼られているので、より騒音がガラリ１０から入りにくい構造となっている。
【００６５】
尚、前記実施の形態１でも説明した如く、フード２０、ダクト４０内に吸音材５０を設けない構成でも、既に風向板１１を上向けに構成しているので、従来構成のガラリ１２と比較して騒音低減効果は得られている。
【００６６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６７】
前記実施の形態では、ガラリの上方側を覆う構成のフードを例に挙げて説明したが、フードの構成はかかる構成以外のものでも構わない。ガラリの風向板の対面部分を覆うように構成して、その周囲を空気取り入れ口に構成したものでも構わない。但し、風向板の対面部分を覆う部材は、風向板より１０ｃｍ以上離すことが必要である。
【産業上の利用可能性】
【００６８】
本発明は、換気口にガラリを設けた建築物の換気分野で有効に利用することができる。
【図面の簡単な説明】
【００６９】
【図１】（ａ）は本発明に係るガラリの一実施例の構成を模式的に示す断面図であり、（ｂ）はガラリの取り付け状況を示す正面図であり、（ｃ）は風向板の開口角度を部分的に示した説明図である。
【図２】（ａ）、（ｂ）は、従来構成のガラリの空気通過の状況を模式的に示す説明図である。
【図３】本発明に係るガラリの空気通過の状況を模式的に示す説明図である。
【図４】（ａ）、（ｂ）は、渦形成ネットの取り付け位置を模式的に示す断面図である。
【図５】渦形成ネットの取り付け位置による風量係数の変化の結果である。
【図６】（ａ）、（ｂ）は、実物大のモデルルームの構成を模式的に示す説明図である。
【図７】（ａ）、（ｂ）は、実物大のモデルルームの寸法構成を模式的に示す説明図である。
【図８】渦形成ネットの構成を模式的に示す説明図である。
【図９】（ａ）、（ｂ）、（ｃ）は渦形成ネットの取り付け位置を模式的に示す説明図であり、（ｄ）は（ａ）、（ｂ）、（ｃ）における風量係数を示す説明図である。
【図１０】本発明に係る内壁に吸音材を貼った構成のレンジフードを模式的に示す説明図である。
【図１１】従来構成のレンジフードを設けたガラリの騒音通過状況を模式的に示す説明図である。
【符号の説明】
【００７０】
１０      ガラリ
１１      風向板
１２      ガラリ
１３      取り付け部材
１４      取り付け部材
１５      風向板
１６      雨水落下流路
１７      孔
２０      フード
２０ａ    空気取り入れ口
２１      フード
２１ａ    空気取り入れ口
２２      対面部分
２３      渦形成ネット
３０      壁
３０ａ    壁面
４０      ダクト
４１      ダクト開口面
４２      室内側開口面
Ａ        通過断面積
α        流量係数
αＡ      風量係数
θ        開口角度
ΔＰ      室内外差圧
Ｑ        排気風量
Ｘ        換気口
γ        空気密度
【図１】
2007162316.tif 000004
【図２】
2007162316.tif 000005
【図３】
2007162316.tif 000006
【図４】
2007162316.tif 000007
【図５】
2007162316.tif 000008
【図６】
2007162316.tif 000009
【図７】
2007162316.tif 000010
【図８】
2007162316.tif 000011
【図９】
2007162316.tif 000012
【図１０】
2007162316.tif 000013
【図１１】
2007162316.tif 000014